(57)【要約】      （修正有）【課題】両つまみボタン式錠前を備える箱体を提供する。【解決手段】相互に枢結された第１シェル体１０及び第２シェル体２０を備え、その主な特点は、第２シェル体２０のめくり開け側に両つまみボタン式錠前が設けられることであり、それは主に、シェル座体３０と、ロックシリンダーと、２つのつまみ動作部材と、２つの連動係止部材６０とを含み、その内、２つのつまみ動作部材に設けられたつまみボタンの間の距離は、一般成人が片手でつまみ寄せ動作が達成可能な距離範囲内であり、ロックシリンダーの錠止構成部材４２が解放モードを呈するとき、使用者が２つのつまみ動作部材に設けられたつまみボタンをつまみ寄せることができるに従い、２つの連動係止部材６０を従動させることで、その係止部６２と第１シェル体１０の位置決めフック１１が解放状態を呈するに従い、第１、第２シェル体１０、２０の間が開放可能な状態を呈するように構成される。【選択図】図５
0003223139.tif 000002
【実用新案登録請求の範囲】
【請求項１】
相互に枢結された第１シェル体（１０）及び第２シェル体（２０）と、前記第２シェル体（２０）のめくり開け側（２１）に装設された両つまみボタン式錠前（Ａ）とを備える両つまみボタン式錠前を備える箱体であって、
前記第２シェル体（２０）はめくり開け側（２１）を有し、前記第１シェル体（１０）は間隔配置された２つの位置決めフック（１１）を有し、前記２つの位置決めフック（１１）は前記第２シェル体（２０）のめくり開け側（２１）と互いに対応しており、
前記両つまみボタン式錠前（Ａ）は、収容空間（３１）及び操作パネル（３２）を有するシェル座体（３０）と、前記シェル座体（３０）の収容空間（３１）の一箇所に設けられたロックシリンダー（４０）と、前記シェル座体（３０）の収容空間（３１）内に設けられ、かつ前記ロックシリンダー（４０）の相対両側に間隔対称状に配置された２つのつまみ動作部材（５０）と、前記シェル座体（３０）の収容空間（３１）に設けられ、かつそれぞれ前記２つのつまみ動作部材（５０）の相対外側に位置する２つの連動係止部材（６０）とを含み、
前記ロックシリンダー（４０）は、操作部（４１）及び錠止構成部材（４２）を有し、前記錠止構成部材（４２）が、錠止モード及び解放モードを有し、前記操作部（４１）が、前記シェル座体（３０）の操作パネル（３２）から露出し、かつ前記操作部（４１）は、前記錠止構成部材（４２）がかかる錠止モードまたは解放モードを呈するように切換えるために用いられ、
各前記つまみ動作部材（５０）は、いずれもつまみボタン（５１）、ガイド作動座（５２）、制動部（５３）及び弾性位置復元具（５４）を有し、前記つまみボタン（５１）が、人手のつまみ動作のために前記シェル座体（３０）の操作パネル（３２）から露出し、前記ガイド作動座（５２）が前記つまみボタン（５１）に連設され、前記ガイド作動座（５２）と前記つまみボタン（５１）は、共動関係を呈するように構成され、前記制動部（５３）が前記ガイド作動座（５２）の一箇所に連設され、前記制動部（５３）は、前記ロックシリンダー（４０）の錠止構成部材（４２）と互いに対応合致し、かつ前記錠止構成部材（４２）がかかる錠止モードまたは解放モードにおける相異に応じて、前記制動部（５３）は、前記つまみボタン（５１）と前記ガイド作動座（５２）とも一緒に位置決め状態または可動状態を呈するように相対的に構成され、前記弾性位置復元具（５４）が、前記収容空間（３１）内に設けられた固定部位（３１５）と前記ガイド作動座（５２）との間に設けられることで、前記ガイド作動座（５２）と前記つまみボタン（５１）の作動具に自動位置復元性を持たせ、
各前記連動係止部材（６０）は、受動部（６１）、係止部（６２）及び前記受動部（６１）と前記係止部（６２）との間に連結された延伸連動枠（６３）を有し、前記受動部（６１）が、互いに対応するつまみ動作部材（５０）のガイド作動座（５２）に連設され、前記係止部（６２）は、前記第１シェル体（１０）の互いに対応する位置決めフック（１１）に嵌め込まれるために用いられることで、前記第２シェル体（２０）は、前記第１シェル体（１０）に対し蓋閉じ状態で位置決めされ、
かつ、前記２つのつまみ動作部材（５０）に設けられたつまみボタン（５１）の間の距離は、一般成人が片手でつまみ寄せ動作が達成可能な距離範囲内であることを特徴とする、両つまみボタン式錠前を備える箱体。
【請求項２】
前記ロックシリンダー（４０）の操作部（４１）が鍵回動開閉式形態である場合、前記錠止構成部材（４２）は、前記操作部（４１）の回動を受けて同期回動するＴ字棒形態である一方、前記２つのつまみ動作部材（５０）の制動部（５３）は、横方向凸伸棒柱形態であり、また前記２つのつまみ動作部材（５０）の制動部（５３）同士が互いに上下に位置ずれし、かつ間隔相対関係を呈し、前記錠止構成部材（４２）を縦方向になる角度にまで回動させると、かかる錠止モードを構成することにより、前記２つのつまみ動作部材（５０）の制動部（５３）をいずれも当接して位置決めさせる一方、前記錠止構成部材（４２）を横方向になる角度にまで回動させると、かかる解放モードを構成することにより、前記２つのつまみ動作部材（５０）の制動部（５３）をいずれも解放させることを特徴とする、請求項１に記載の両つまみボタン式錠前を備える箱体。
【請求項３】
前記ロックシリンダー（４０）の操作部（４１）がダイヤル錠開閉式形態である場合、前記錠止構成部材（４２）は、旋回ボタン（４２１）及び揺動枠（４２２）を具備し、前記旋回ボタン（４２１）の一端に傾斜誘導面（４２３）を有し、前記揺動枠（４２２）の相対両側に前記２つのつまみ動作部材（５０）の制動部（５３）に対応当接するための２つの当接部（４２４）を有し、かつ前記揺動枠（４２２）の一側に前記旋回ボタン（４２１）の傾斜誘導面（４２３）と互いに合致する被押部（４２５）が並設され、前記ダイヤル錠開閉式形態の操作部（４１）が設定ロック解除状態を呈するときは、前記揺動枠（４２２）を揺動可能状に構成すると同時に、前記錠止構成部材（４２）が解放モードを呈するように構成され、この状態において、前記旋回ボタン（４２１）を回動させることにより、前記傾斜誘導面（４２３）で前記被押部（４２５）を押動させるに従い、前記揺動枠（４２２）の２つの当接部（４２４）にずれが生じるように構成されることにより、前記２つのつまみ動作部材（５０）の制動部（５３）をいずれも解放させることを特徴とする、請求項１に記載の両つまみボタン式錠前を備える箱体。
【請求項４】
前記シェル座体（３０）の収容空間（３１）内に各前記連動係止部材（６０）に設けられた係止部（６２）に近隣する位置箇所には、さらに弾性突き当て構成部材（６６）を格納するためのガイド作動室（６５）が設けられ、前記弾性突き当て構成部材（６６）は、突き当て座（６６１）及び弾力具（６６２）を具備し、前記突き当て座（６６１）の端部は、前記第１シェル体（１０）の互いに対応する位置決めフック（１１）の端部に当て突くために用いられて、前記連動係止部材（６０）の係止部（６２）が前記第１シェル体（１０）の位置決めフック（１１）から離脱するときは、前記弾性突き当て構成部材（６６）の前記位置決めフック（１１）に対する弾力突き当て作用によるに従い、前記第２シェル体（２０）と第１シェル体（１０）との間を自動押開いて間隔距離（Ｈ）が形成されることを特徴とする、請求項２又は３に記載の両つまみボタン式錠前を備える箱体。
【請求項５】
前記第１シェル体（１０）に設けられた２つの位置決めフック（１１）のうちの少なくともいずれか一方の間隔位置箇所に、さらに少なくとも１つの補助位置決めフック（７０）が設けられることで、互いに対応する前記連動係止部材（６０）に、さらに前記第１シェル体（１０）の互いに対応する補助位置決めフック（７０）に対応して嵌め込まれるための少なくとも１つの補助係止部（６４）が添設され、前記第１シェル体（１０）と前記第２シェル体（２０）との間は、体積容量同士が互いに対称となるか、または同士が互いに非対称となるかうちのいずれか１種の配置比率関係であり、また、前記箱体は、スーツケース、メイクボックスまたはツールボックスのうちのいずれか１種の物入れ機能を持つものであることを特徴とする、請求項４に記載の両つまみボタン式錠前を備える箱体。
【考案の詳細な説明】
【技術分野】
【０００１】
本考案は、１種の箱体に係り、特に、両つまみボタン式錠前を備える斬新な箱体の構造形態の開示に関するものである。
【背景技術】
【０００２】
本考案で指す箱体は、スーツケース、メイクボックスやツールボックスなどのように揺回動めくり開け式第２シェル体を備える箱体の形態を広く指すものである。
【０００３】
現有の箱体の構造では、設計上、錠前の部分はいつも非常に重要な一環を担っており、かつ関連業界は、今日に至るまで不断に箱体の錠前構造について改良と突破を続けてきた。従来の箱体の錠前を総合に見ると、よく見られるものとしては、通常ではその第２シェル体のめくり開け側に間隔分布する２組の錠前が設置され、この種の形態は、非常に普遍的かつかなり長期間人気を博しているものの、ただその欠点は、前記２組の錠前にいずれもロックシリンダーを設置する必要があり、かつ開放時に両手で同時に操作しなければ、達成できなかったため、依然として構成部材が複雑すぎて、かつ使用が不便であるなどの問題が存在することである。これに基づいて、後続的に遂に関連業界では、単一の旋回ノブに対して側方向に延伸する２つの連動構成部材が配属されることにより、間隔配置された２組の係止具が位置決めまたは解放状態を呈するように同期従動する別種の従来の箱体の錠前形態が研究開発された。
【０００４】
しかしながら、この種の形態は、確実に構成部材の減少及び操作が便利になる利点を達成できるが、その旋回ノブは、設計上、人手で把持して回動することが容易になるために、その形態は、通常、突出状に設けてなり、このようにして、形状が唐突で、箱体の全体美観性と価値感に影響が及ぶ欠点が存在する以外に、前記旋回ノブは、外物とのぶつかりによる損傷をより生じ易くなること、や外力作用を受けて任意に回動することに起因して第２シェル体が誤って開いてしまう問題点があった。
これゆえ、如何にしてより理想的で実用性のある斬新な箱体の錠前の構造形態を研究開発するかが、実に、関連業界がさらなる注目と思慮すべき重要な技術的課題である。
【考案の概要】
【考案が解決しようとする課題】
【０００５】
本考案は、両つまみボタン式錠前を備える箱体を提供することを主な目的とし、その解決しようとする技術的課題は、如何にしてより理想的で実用性のあるオリジナルな箱体の構造形態を研究開発するかを目標として革新突破を図ることである。
【課題を解決するための手段】
【０００６】
前述した目的に基づいて、本実用新案は、両つまみボタン式錠前を備える箱体を提供し、かかる箱体は、相互に枢結された第１シェル体及び第２シェル体と、第２シェル体のめくり開け側に装設された両つまみボタン式錠前とを備え、その内、第２シェル体は、めくり開け側を有し、第１シェル体は、間隔配置された２つの位置決めフックを有し、前記２つの位置決めフックは、第２シェル体のめくり開け側と互いに対応しており、前記両つまみボタン式錠前は、収容空間及び操作パネルを有するシェル座体と、シェル座体の収容空間の一箇所に設けられたロックシリンダーと、シェル座体の収容空間内に設けられ、かつロックシリンダーの相対両側に間隔対称状に配置された２つのつまみ動作部材と、シェル座体の収容空間に設けられ、かつそれぞれ２つのつまみ動作部材の相対外側に位置する２つの連動係止部材とを含み、ロックシリンダーは、操作部及び錠止構成部材を有し、錠止構成部材が、錠止モード及び解放モードを有し、操作部が、シェル座体の操作パネルから露出し、かつ操作部は、錠止構成部材が錠止モードまたは解放モードを呈するように切換えるために用いられ、各つまみ動作部材は、いずれもつまみボタン、ガイド作動座、制動部及び弾性位置復元具を有し、その内、つまみボタンが、人手のつまみ動作のためにシェル座体の操作パネルから露出し、ガイド作動座が、つまみボタンに連設され、ガイド作動座と前記つまみボタンは、共動関係を呈するように構成され、制動部が、ガイド作動座の一箇所に連設され、制動部は、ロックシリンダーの錠止構成部材と互いに対応合致し、かつ錠止構成部材が錠止モードまたは解放モードにおける相異に応じて、制動部は、つまみボタンとガイド作動座とも一緒に位置決め状態または可動状態を呈するように相対的に構成され、弾性位置復元具が、収容空間内に設けられた固定部位とガイド作動座との間に設けられることで、ガイド作動座とつまみボタンの作動具に自動位置復元性を持たせ、各連動係止部材は、受動部、係止部、及び受動部と係止部との間に連結された延伸連動枠を有し、その内、受動部が、それと互いに対応するつまみ動作部材のガイド作動座に連設され、係止部は、第１シェル体のそれと互いに対応する位置決めフックに嵌め込まれるために用いられることで、第２シェル体は、第１シェル体に対し蓋閉じ状態で位置決めされ、かつ、２つのつまみ動作部材に設けられたつまみボタンの間の距離は、一般成人が片手でつまみ寄せ動作が達成可能な距離範囲内である。
【０００７】
このような斬新な独特の構造形態と技術的特徴によれば、本考案は、背景技術と対照的に、両つまみボタン式錠前を備える新タイプの箱体の構造形態を提供することができ、それは、２つの連動係止部材を２つの位置決めフックに合致する形態により、間隔位置決め点に具備するより良好な位置決め効果を達成させることができ、なお、前記２つのつまみ動作部材に設けられたつまみボタンの間の距離は、一般成人が片手でつまみ寄せ動作が達成可能な距離範囲内である形態の特徴定義によって、本考案の両つまみボタン式錠前は、操作上、使用者が片手でつまみ寄せ動作を行うことにより、箱体の錠前を簡易に開放させるに従い、使用により一層利便性が増して使い勝手がよくなる利点が達成され、このほか、前記２つのつまみ動作部材に設けられたつまみボタンは、同時につまみ動作を行わせなければ、閉鎖できなくなるので、箱体の錠前に外力を受けてぶつかると、
ロックが任意に解除してしまうのを有効に防止できる実用進歩性がさらに達成される。
【考案の効果】
【０００８】
本考案の別の目的は、前記シェル座体の収容空間内に各連動係止部材に設けられた係止部に近隣する位置箇所には、さらに弾性突き当て構成部材を格納するためのガイド作動室が設けられる別の技術的特徴によって、連動係止部材の係止部が位置決めフックから離脱して閉鎖状態を呈するとき、弾性突き当て構成部材の位置決めフックに対する弾力突き当て作用により、第１、第２シェル体の間を自動押開けて間隔距離が形成され、使用者の手指が入ってつまみ動作を行うための隙間を提供することで、箱体を開けるには、より一層省力化を図り、より一層利便性が増す。
【０００９】
本考案のさらに別の目的は、前記第１シェル体に設けられた２つの位置決めフックのうちの少なくともいずれか一方の間隔位置箇所に、さらに補助位置決めフックが設けられるさらに別の技術的特徴によって、箱体の巾に応じてフック掛け位置決め点の増加が達成され、箱体の蓋閉じ状態の堅固強度と製品品質をさらに向上させる利点と実用進歩性を得ることができる。
【図面の簡単な説明】
【００１０】
【図１】本考案の箱体の好適な実施例の第２シェル体のめくり開け状態の斜視図である。
【図２】本考案の両つまみボタン式錠前の好適な実施例の外観斜視図である。
【図３】本考案の両つまみボタン式錠前と２つの位置決めフックとの組合せ状態の斜視図である（註：一部が透視された状態）。
【図４】本考案の両つまみボタン式錠前の好適な実施例の一部構成部材の分解斜視図である。
【図５】本考案の錠止構成部材が錠止モードを呈する関連構成部材の縦方向断面図である。
【図６】図５の一部拡大図一である。
【図７】図５の一部拡大図二である。
【図８】本考案の錠止構成部材が解放モードを呈する関連構成部材の縦方向断面図である。
【図９】本考案の錠止構成部材が解放モードを呈するとき、つまみ動作部材及び連動係止部材の作動状態を示す図である。
【図１０】本考案の２つのつまみ動作部材に設けられたつまみボタンを人手でつまんで係合するための状態を示す図である。
【図１１】本考案のロックシリンダーの操作部がダイヤル錠開閉式形態である実施例の外観斜視図である。
【図１２】図１１に掲示した実施例に続く錠止構成部材が錠止モードを呈する状態を示す図である。
【図１３】図１１に掲示した実施例に続く錠止構成部材が解放モードを呈する状態を示す図である。
【図１４】本考案に補助位置決めフックが添設された実施例図一である。
【図１５】本考案に補助位置決めフックが添設された実施例図二である。
【考案を実施するための形態】
【００１１】
図１〜図４を参照すると、これらの図に示すのは、本考案の両つまみボタン式錠前を備える箱体の好適な実施例だが、これらの実施例は説明のみに用いられるもので、実用新案登録請求の際、それらの構造に制限されないものとする。
【００１２】
かかる箱体は、下記の構成を備える。すなわち、本考案は、相互に枢結された第１シェル体１０及び第２シェル体２０と、前記第２シェル体２０のめくり開け側２１に装設された両つまみボタン式錠前Ａとを備え、その内、前記第２シェル体２０は、めくり開け側２１を有し、前記第１シェル体１０は、間隔配置された２つの位置決めフック１１を有し、前記２つの位置決めフック１１は、前記第２シェル体２０のめくり開け側２１と互いに対応しており、前記両つまみボタン式錠前Ａは、収容空間３１及び操作パネル３２を有するシェル座体３０と、前記シェル座体３０の収容空間３１の一箇所に設けられたロックシリンダー４０と、前記シェル座体３０の収容空間３１内に設けられ、かつ前記ロックシリンダー４０の相対両側に間隔対称状に配置された２つのつまみ動作部材５０と、前記シェル座体３０の収容空間３１に設けられ、かつそれぞれ前記２つのつまみ動作部材５０の相対外側に位置する２つの連動係止部材６０とを含み、前記ロックシリンダー４０は、操作部４１及び錠止構成部材４２を有し、前記錠止構成部材４２が、錠止モード及び解放モードを有し、前記操作部４１が、前記シェル座体３０の操作パネル３２から露出し、かつ前記操作部４１は、前記錠止構成部材４２がかかる錠止モードまたは解放モードを呈するように切換えるために用いられ、各前記つまみ動作部材５０は、いずれもつまみボタン５１、ガイド作動座５２、制動部５３及び弾性位置復元具５４（コイルバネを採用してもよいが、この限りではない）を有し、その内、前記つまみボタン５１が、人手のつまみ動作（図１０を参照）のために前記シェル座体３０の操作パネル３２から露出し、前記ガイド作動座５２が、前記つまみボタン５１に連設され、前記ガイド作動座５２と前記つまみボタン５１は、共動関係を呈するように構成され、前記制動部５３が、前記ガイド作動座５２の一箇所に連設され、前記制動部５３は、前記ロックシリンダー４０の錠止構成部材４２と互いに対応合致し、かつ前記錠止構成部材４２がかかる錠止モードまたは解放モードにおける相異に応じて、前記制動部５３は、前記つまみボタン５１と前記ガイド作動座５２とも一緒に位置決め状態または可動状態を呈するように相対的に構成され、前記弾性位置復元具５４が、前記収容空間３１内に設けられた固定部位３１５（図６のみに表示）と前記ガイド作動座５２との間に設けられることで、前記ガイド作動座５２と前記つまみボタン５１の作動具に自動位置復元性を持たせ、各前記連動係止部材６０は、受動部６１、係止部６２、及び前記受動部６１と前記係止部６２との間に連結された延伸連動枠６３を有し、その内、前記受動部６１が、それと互いに対応するつまみ動作部材５０のガイド作動座５２に連設され、前記係止部６２は、前記第１シェル体１０のそれと互いに対応する位置決めフック１１に嵌め込まれるために用いられることで、前記第２シェル体２０は、前記第１シェル体１０に対し蓋閉じ状態で位置決めされ、かつその内、前記２つのつまみ動作部材５０に設けられたつまみボタン５１の間の距離は、一般成人が片手でつまみ寄せ動作が達成可能な距離範囲内である（図１０に示した状態を参照）。
【００１３】
図１〜図７に示すように、本例において、前記ロックシリンダー４０の操作部４１が鍵回動開閉式形態である場合、前記錠止構成部材４２は、前記操作部４１の回動を受けて同期回動するＴ字棒形態である一方、前記２つのつまみ動作部材５０の制動部５３は、横方向凸伸棒柱形態であり、また前記２つのつまみ動作部材５０の制動部５３同士が互いに上下に位置ずれし、かつ間隔相対関係を呈し（詳細は図６を参照）、前記錠止構成部材４２を図６に示すように縦方向になる角度にまで回動させると、かかる錠止モードを構成することにより、前記２つのつまみ動作部材５０の制動部５３をいずれも当接して位置決めさせる一方、前記錠止構成部材４２を図８に示すように横方向になる角度にまで回動させると、かかる解放モードを構成するに従い、前記２つのつまみ動作部材５０の制動部５３をいずれも解放させて作動可能な状態を呈させる。なお、この状態において、さらに図１０を参照すると、吾人が前記２つのつまみボタン５１を片手でつまみ寄せることができることから、２つのつまみ動作部材５０のガイド作動座５２を２つの連動係止部材６０とも一緒に相対方向に向かって偏位作動するように従動する（矢印符号Ｌ１で示す）と共に、連動係止部材６０の係止部６２が第１シェル体１０のそれと互いに対応する位置決めフック１１から離脱する状態を構成し、このようにして、第２シェル体２０が開放可能な状態を呈することとなる。本例において説明すべき点は、前記ロックシリンダー４０の鍵回動開閉式形態の操作部４１の詳細な構造の実施内容は、従来の技術に属するものであり、かつ本考案が保護しようとする範疇ではないので、ここでの説明は省略する。
【００１４】
図５、図７に示すように、本例において、前記シェル座体３０の収容空間３１内に各前記連動係止部材６０に設けられた係止部６２に近隣する位置箇所には、さらに弾性突き当て構成部材６６を格納するためのガイド作動室６５が設けられ、前記弾性突き当て構成部材６６は、突き当て座６６１及び弾力具６６２を具備し、その内、前記突き当て座６６１の端部は、前記第１シェル体１０のそれと互いに対応する位置決めフック１１の端部に当て突くために用いられて、前記連動係止部材６０の係止部６２が前記位置決めフック１１から離脱するときは、図９に示すように、前記弾性突き当て構成部材６６の前記位置決めフック１１に対する弾力突き当て作用によるに従い（矢印符号Ｌ２で示す）、前記第２シェル体２０と第１シェル体１０との間を自動押開いて（矢印符号Ｌ３で示す）間隔距離Ｈが形成される。本例においてかかる間隔距離Ｈを形成するメリットは、主に使用者の手指が入ってつまみ動作を行うための隙間を提供するに従い、箱体を開けるには、より一層省力化を図り、より一層利便性が増す。
【００１５】
図１１〜図１３に示すように、本例において、前記ロックシリンダー４０Ｂの操作部４１Ｂがダイヤル錠開閉式形態である場合、前記錠止構成部材４２Ｂは、旋回ボタン４２１及び揺動枠４２２を具備し、その内、前記旋回ボタン４２１の一端に傾斜誘導面４２３を有し、前記揺動枠４２２の相対両側に前記２つのつまみ動作部材５０の制動部５３に対応当接するための２つの当接部４２４を有し、かつ前記揺動枠４２２の一側に前記旋回ボタン４２１の傾斜誘導面４２３と互いに合致する被押部４２５が並設され、前記ダイヤル錠開閉式形態の操作部４１Ｂが設定ロック解除状態を呈するときは、図１３に示すように、前記揺動枠４２２を揺動可能状に構成すると同時に、前記錠止構成部材４２Ｂが解放モードを呈するように構成され、この状態において、使用者が前記旋回ボタン４２１を回動することにより（矢印符号Ｌ４で示す）、前記傾斜誘導面４２３で前記被押部４２５を押動させるに従い、前記揺動枠４２２の２つの当接部４２４にずれが生じるように構成されることにより（矢印符号Ｌ５で示す）、前記２つのつまみ動作部材５０の制動部５３をいずれも解放させて作動可能な状態を呈させる（矢印符号Ｌ６で示す）。本例において説明すべき点は、前記ロックシリンダー４０Ｂのダイヤル錠開閉式形態の操作部４１Ｂの詳細な構造の実施内容は、従来の技術に属するものであり、かつ本考案が保護しようとする範疇ではないので、ここでの説明は省略する。
【００１６】
図１４、図１５に示すように、本例において、前記第１シェル体１０に設けられた２つの位置決めフック１１のうちの少なくともいずれか一方の間隔位置箇所に、さらに少なくとも１つの補助位置決めフック７０が設けられることで、それと互いに対応する前記連動係止部材６０に（図４を合わせて参照）、さらに前記第１シェル体１０のそれと互いに対応する補助位置決めフック７０に対応して嵌め込まれるための少なくとも１つの補助係止部６４が添設される。本例において、図１４に掲示するのは、１つの補助位置決めフック７０及び１つの補助係止部６４のみが添設された実施形態である一方、図１５に掲示するのは、２つの補助位置決めフック７０及び２つの補助係止部６４が添設された実施形態である。なお、本例においてかかる補助位置決めフック７０及び補助係止部６４を添設する目的は、主に箱体の巾寸法が比較的大きいとき、本来の２つの位置決めフック１１の間に形成された間隔位置決め点がより良好な安定した位置決め効果を得ることが困難となるとき、本例に掲示した技術的特徴を利用すれば、箱体を蓋閉じする位置決め点の増加が得られ、箱体の蓋閉じ状態の堅固性をより良好なものにするに従い、製品品質を高める利点がある。
【００１７】
その内、前記第１シェル体１０と前記第２シェル体２０との間は、体積容量同士が互いに対称となるか、または同士が互いに非対称となるかうちのいずれか１種の配置比率関係であり、この部分は、図１に掲示するように、その体積容量は、第１シェル体１０が第２シェル体２０よりも大きい非対称となる配置比率関係である。
【００１８】
またその内、かかる箱体は、スーツケース、メイクボックスまたはツールボックスのうちのいずれか１種の物入れ機能を持つものである
【符号の説明】
【００１９】
１０  第１シェル体
１１  位置決めフック
２０  第２シェル体
２１   めくり開け側
Ａ  両つまみボタン式錠前
３０  シェル座体
３１  収容空間
３１５  固定部位
３２  操作パネル
４０，４０Ｂ  ロックシリンダー
４１，４１Ｂ  操作部
４２，４２Ｂ  錠止構成部材
４２１  旋回ボタン
４２２  揺動枠
４２３  傾斜誘導面
４２４  当接部
４２５  被押部
５０  つまみ動作部材
５１  つまみボタン
５２  ガイド作動座
５３  制動部
５４  弾性位置復元具
６０  連動係止部材
６１  受動部
６２  係止部
６３  延伸連動枠
６４  補助係止部
６５  ガイド作動室
６６  弾性突き当て構成部材
６６１  突き当て座
６６２  弾力具
７０  補助位置決めフック
Ｈ  間隔距離
【図１】
0003223139.tif 000003
【図２】
0003223139.tif 000004
【図３】
0003223139.tif 000005
【図４】
0003223139.tif 000006
【図５】
0003223139.tif 000007
【図６】
0003223139.tif 000008
【図７】
0003223139.tif 000009
【図８】
0003223139.tif 000010
【図９】
0003223139.tif 000011
【図１０】
0003223139.tif 000012
【図１１】
0003223139.tif 000013
【図１２】
0003223139.tif 000014
【図１３】
0003223139.tif 000015
【図１４】
0003223139.tif 000016
【図１５】
0003223139.tif 000017